(57)【要約】  【課題】  本発明は、演出効果に優れた車両用の照明装置を提供することを目的とする。  【解決手段】  ＬＥＤユニットと、該ＬＥＤユニットの光放出側に設けられるレンズとを備える照明装置であって、前記レンズの光放出面が、前記ＬＥＤユニットの光軸方向に位置し、平滑面からなる第１領域と、前記第１領域に連続して形成され、光拡散面からなる第２領域と、を有することを特徴とする照明装置とする。  【選択図】  図２
2006147332.tif 000002
【特許請求の範囲】
【請求項１】
ＬＥＤユニットと、該ＬＥＤユニットの光放出側に設けられるレンズとを備える照明装置であって、
前記レンズの光放出面が、前記ＬＥＤユニットの光軸方向に位置し、平滑面からなる第１領域と、前記第１領域に連続して形成され、光拡散面からなる第２領域と、を有することを特徴とする照明装置。
【請求項２】
複数のＬＥＤユニットが備えられ、該複数のＬＥＤユニットが、光放出側を外側にして円孤ないし楕円孤状に整列し、
前記レンズが前記複数のＬＥＤユニットのそれぞれに対応する光入射面を備える、請求項１に記載の照明装置。
【請求項３】
前記第１領域が、前記複数のＬＥＤユニットに沿うように連続する円孤ないし楕円弧形状を有する、請求項２に記載の照明装置。
【請求項４】
前記複数のＬＥＤユニットの中で、中心に位置するＬＥＤユニット、又は中心に位置するＬＥＤユニット及び該ＬＥＤユニットに隣接するＬＥＤユニットが、指向角の狭い光を放出する第１ＬＥＤを内蔵し、その他のＬＥＤユニットが指向角の広い光を放出する第２ＬＥＤを内蔵する、請求項２又は３に記載の照明装置。
【請求項５】
前記第１ＬＥＤがレンズ型ＬＥＤであり、前記第２ＬＥＤがＳＭＤ（表面実装）型ＬＥＤである請求項４に記載の照明装置。
【請求項６】
前記第１ＬＥＤが白色ＬＥＤであり、前記第２ＬＥＤがフルカラーＬＥＤである請求項４又は５に記載の照明装置。
【請求項７】
前記レンズにおいて、前記第１ＬＥＤを内蔵するＬＥＤユニットに対する光入射面が平滑であり、前記第２ＬＥＤを内蔵するＬＥＤユニットに対する光入射面が光拡散性である、請求項４〜６のいずれかに記載の照明装置。
【発明の詳細な説明】
【技術分野】
【０００１】
本発明は照明装置に関する。本発明はイベント用車両のヘッドライトとして好適に使用される。
【背景技術】
【０００２】
展示会、展覧会或いは製品発表会等のイベントにおいて、光による演出効果を奏する車両（イベント用車両）が利用されている。
【発明の開示】
【発明が解決しようとする課題】
【０００３】
上記のようなイベント用車両には、高い演出効果を提供できることが望まれる。
かかる要請に応えるべく、イベント用車両等に利用されて、高い演出効果を発揮することが可能な照明装置を提供することを目的とする。
【課題を解決するための手段】
【０００４】
本発明は以上の目的を達成するために、以下の構成からなる。即ち、
ＬＥＤユニットと、該ＬＥＤユニットの光放出側に設けられるレンズとを備える照明装置であって、
前記レンズの光放出面が、前記ＬＥＤユニットの光軸方向に位置し、平滑面からなる第１領域と、前記第１領域に連続して形成され、光拡散面からなる第２領域と、を有することを特徴とする照明装置である。
【発明の効果】
【０００５】
本発明の構成では、ＬＥＤユニットの光の一部は、平滑面からなる第１領域より放出される。第１領域からの放出光は、積極的に拡散されずに放出され、外部を照射する。一方、ＬＥＤユニットの光の他の一部は、光拡散面からなる第２領域より放出される。第２領域からの放出光は、積極的に拡散されて放出される。これによってレンズの一部が発光する。このように、第１領域からの放出光と第２領域からの放出光とが異なる態様となる。従って、一つのＬＥＤユニットの光から２種類の光が生成されることとなり、高いイルミネーション効果が奏される。即ち、高い演出効果が創出される。
【発明を実施するための最良の形態】
【０００６】
以下、本発明における照明装置の構成要素について詳細に説明する。
ＬＥＤユニットに内蔵されるＬＥＤの種類は特に限定されず、レンズ型、ＳＭＤ（表面実装）型等、種々のものを採用できる。ＬＥＤは小型であるため光源用のスペースが少なくて済むという利点を有する。またＬＥＤは消費電力が小さいことから省エネルギー化の要請にも沿うものである。更にＬＥＤは発熱量が小さく周りの部材に与える影響が少ないといった利点も併せ持つ。加えてＬＥＤは長寿命であるからメンテナンスの面などからも有利なものとなる。更に言えば、ＬＥＤは振動、衝撃に強いことから信頼性の高いＬＥＤユニットを構成できるといった利点もある。尚、ＬＥＤユニットは複数のＬＥＤを内蔵していても良い。内蔵されるＬＥＤの数は照明領域や輝度などを考慮して決定することができる。ＬＥＤの発光色は特に限定されず、白、赤、緑、青等の光を発生するＬＥＤを採用できる。中でも白色の光を発生する白色ＬＥＤを用いることが好ましい。かかるＬＥＤユニットによると、被照明物が本来の色で視認されるからである。また、赤、緑、青の光をそれぞれ発生するＬＥＤを一体として備える、いわゆる３ｉｎ１ＬＥＤ（フルカラーＬＥＤ）を使用することが好ましい。光の三原色のＬＥＤを組み合わせて使用することで、白色発光及びマルチカラーないしフルカラーの光を放出するＬＥＤユニットとすることができるからである。
【０００７】
本発明の照明装置は複数のＬＥＤユニットを備えていてもよい。複数のＬＥＤユニットにおいて、一部のＬＥＤユニットが、他のＬＥＤユニットが内蔵するＬＥＤと異なる種類のＬＥＤを内蔵していてもよい。例えば、複数のＬＥＤユニットが、指向角の狭い光を放出する第１ＬＥＤを内蔵するＬＥＤユニット（第１ＬＥＤユニット）と、指向角の広い光を放出する第２ＬＥＤを内蔵するＬＥＤユニット（第２ＬＥＤユニット）とを含んでいてもよい。指向角の狭い光を放出するＬＥＤとしては、レンズ型ＬＥＤを例示できる。指向角の広い光を放出するＬＥＤとしては、ＳＭＤ（表面実装）型ＬＥＤを例示できる。また、第１ＬＥＤを白色ＬＥＤとし、第２ＬＥＤをフルカラーＬＥＤとすることもできる。なお、第１ＬＥＤユニット又は第２ＬＥＤユニットが複数あってもよい。
複数のＬＥＤユニットを使用する際の配置は照明する領域、必要とされる光量及び輝度等を考慮して円孤状、楕円孤状、直線状、曲線状又はこれらの任意の組み合わせ等と決定することができる。例えば、複数のＬＥＤユニットを、光放出側が外側となるように楕円孤状に配置することができる。かかる配置によると、ＬＥＤユニットの放出光は広い範囲に放出されることとなる。
内蔵するＬＥＤの種類が異なる２以上のＬＥＤユニットを使用する場合（即ち、第１ＬＥＤユニット及び第２ＬＥＤユニットを含む場合）の配置態様として以下に示すものを採用することができる。即ち、複数のＬＥＤユニットを楕円弧状に配置し、楕円弧の中心（若しくは頂点）に位置するＬＥＤユニット、又は中心（若しくは頂点）に位置するＬＥＤユニット及び該ＬＥＤユニットに隣接するＬＥＤユニットを第１ＬＥＤユニットとし、その他のＬＥＤユニットを第２ＬＥＤユニットとすることができる。かかる配置によると、楕円孤の中心または中心付近（若しくは頂点付近）のみから指向角の狭い光、即ち指向性の高い光が放出されることとなり、イルミネーション効果を高めることができる。
【０００８】
フルカラーＬＥＤを内蔵するＬＥＤユニットを使用する場合、ＬＥＤユニットの発光色をグラデーションをつけて変化させたり、経時的に発光色を変化させたりしてもよい。かかる照明態様によると、高いイルミネーション効果が奏される。即ち、演出効果がより一層高まる。
【０００９】
レンズはＬＥＤユニットの光放出側に備えられる。レンズの材質は、透光性材料であって、アクリル樹脂、ポリエチレンテレフタレート（ＰＥＴ）、ポリカーボネート樹脂、シリコーン樹脂、エポキシ樹脂等の合成樹脂や、ガラス等の無機材料等、公知のものを採用できる。中でも成形性などを考慮して、アクリル樹脂、ＰＥＴなどの合成樹脂が好適に使用される。
【００１０】
レンズはＬＥＤユニットの光が入射する光入射面と、入射した光が放出される光放出面とを備える。レンズにおいてＬＥＤユニットに対向する面が光入射面となる。光入射面の形状はＬＥＤユニットの光がレンズに入射可能であれば特に限定されない。光入射面は光拡散処理が施されていない平滑な面であってもよいし、光拡散処理が施された光拡散性の面であってもよい。また、光入射面における光拡散効果は一定でなくてもよい。例えば、光入射面の一部においてのみ光拡散効果を奏するようにしてもよい。即ち、光入射面の一部を光拡散性の面とし、他の部分を平滑な面としてもよい。あるいは、光拡散効果が徐々に変化するようにグラデーションをつけてもよい。
光入射面を平滑な面とした場合には、光入射面を照射するＬＥＤユニットの光は、積極的に拡散されることなくレンズに入射する。一方、光入射面を拡散性の面とした場合には、光入射面を照射するＬＥＤユニットの光は、該拡散性の面によりレンズに入射する際に積極的に拡散し、レンズ内を進行することとなる。
なお、光拡散処理の方法としては、ショットブラスト、シボ加工、ドット印刷、光拡散層の形成など公知の方法を採用できる。中でも、光入射面が大きい場合には、ショットブラストにより光拡散処理を行なうことが好ましい。
【００１１】
光放出面は第１領域と第２領域とを有する。第１領域はＬＥＤユニットの光軸方向に位置するように形成される。第１領域は光拡散処理が施されていない平滑面からなる領域である。
第１領域の形状は、照明する範囲、必要とされる光量及び輝度等を考慮して決定することができる。例えば、第１領域の形状を、線状（直線状、曲線状、円孤状、楕円弧状を含む）とすることができる。第１領域を線状とした場合、その線幅は例えば、０．５〜２０.０ｍｍとすることができる。なお、第１領域を線状とする場合、その線幅は一定でなくてもよい。例えば、線状の第１領域の線幅を一部のみ大きくすることができる。これにより、その部分から指向性の高い光をより多く放出させることができ、演出効果を高めることができる。
一方、第２領域は光拡散処理が施された光拡散面からなる領域である。第２領域は、第１領域に連続して形成される。第２領域における光拡散効果は一定でなくてもよい。例えば、光拡散効果が徐々に変化するようにグラデーションをつけてよい。光拡散処理の方法は、光入射面に施す場合と同様に公知の方法を採用できる。第２領域の形状は、照明（発光）範囲、必要とされる光量及び輝度などを考慮して決定できる。例えば、線状の第１領域の上に連続する領域と、線状の第１領域の下に連続する領域とからなる領域とすることができる。即ち、第１領域が第２領域によって上下から挟まれて、スリット状となるように、第２領域を形成することができる。このようにすると、第２領域から放出される拡散光の間に、第１領域からの光が線状に放出されることとなり、イルミネーション効果の高い照明態様となる。
【００１２】
なお、レンズが蛍光体を含んでいてもよい。ＬＥＤユニットの光を受けて蛍光するものであれば有機系、無機系を問わず、所望の蛍光色を発する蛍光体を適宜選択して使用することができることができる。有機系の蛍光体を用いることによりクリアー感のある蛍光色の光を得ることができる。無機系の蛍光体を用いると艶消し感のある蛍光色の光を得ることができる。
【００１３】
また、無色透明のレンズの他、着色したレンズを使用することもできる。例えば、レンズ内に顔料などの着色剤を含有させてもよい。またはレンズの光入射面、光放出面に色変換層を設けることもできる。このようにすれば、ＬＥＤユニットの本来の色と異なる色の光を放出させることが可能となる。また、消灯時においてもレンズが着色して観察されるので、消灯時における装飾性が高まる。尚、色変換層は、例えば、透光性インクの塗布、有色の透光性テープの貼付、有色の透光性樹脂層の形成などによっても形成することができる。
さらに、レンズに光散乱剤を含有させてもよい。光散乱剤としては例えば所定の粒径を有するガラス、アルミなどの金属、レンズと光の屈折率の異なる樹脂、シリカなどを用いることができる。
【００１４】
レンズの成形は公知の方法で行なうことができるが、レンズの容積が比較的大きい場合には、切削により行なうことが好ましい。作業効率がよくなるからである。
【００１５】
以下に、実施例を用いて本発明をより詳細に説明する。
【実施例１】
【００１６】
本発明における照明装置１の斜視図を図１に示す。照明装置１の断面図を図２に示す。即ち、図２ＡはＡ−Ａ断面図、図２ＢはＢ−Ｂ断面図、図２ＣはＣ−Ｃ断面図を示す。
照明装置１は図１に示すように、第１ＬＥＤユニット３１、第２ＬＥＤユニット３２、及びレンズ２を備える。第１ＬＥＤユニット３１はレンズ型、白色ＬＥＤを３個内蔵する。第２ＬＥＤユニット３２はＳＭＤ（表面実装）型、フルカラーＬＥＤ（３ｉｎ１ＬＥＤ）を３個内蔵する。これらのＬＥＤユニットは、その光放出側を外側にして楕円弧状に配置される。尚、楕円弧の中心に位置するＬＥＤユニットと、これに隣接するＬＥＤユニットとが第１ＬＥＤユニット３１となり、他のＬＥＤユニットが第２ＬＥＤユニット３２となるように配置される（図２Ａ参照）。なお、第１ＬＥＤユニット３１及び第２ＬＥＤユニット３２はカスケード接続されている。
レンズ２の材質は透明のアクリル樹脂である。レンズ２は平面視で外周が略部分楕円となる形状である。レンズ２は第１ＬＥＤユニット３１及び第２ＬＥＤユニット３２の光放出側を覆う。図２Ｂ、Ｃに示すように、レンズ２において、第１ＬＥＤユニット３１に対向する面は光入射面２１となり、第２ＬＥＤユニット３２に対向する面は光入射面２４となる。光入射面２１、２４は第１ＬＥＤユニット３１及び第２ＬＥＤユニット３２に沿って帯状に形成されている。光入射面２１、２４の反対側の面（符号２２、２３）は光放出面となる。光放出面の内、符号２２で示した領域は、第１ＬＥＤユニット３１及び第２ＬＥＤユニット３２に沿った、一定の線幅（約１０ｍｍ）の線状であって、これが第１領域２２となる。符号２３で示した領域は第１領域の上と下に連続した領域であって、第２領域２３となる。第２領域２３及び光入射面２４はショットブラストによる光拡散処理が施されている。なお、第１領域２２及び光入射面２１は光拡散処理が施されていない平滑な面である。
【００１７】
次に、照明装置１の照明態様を説明する。まず、第１ＬＥＤユニット３１及び第２ＬＥＤユニット３２に電力が供給され、それぞれが発光する。第１ＬＥＤユニット３１の光は、平滑である光入射面２１に入射する。入射した光は、レンズ２内を導光し、その大半は光放出面の第１領域２２から外部へ放出される。第１領域２２は平滑面であるので、放出光は積極的に拡散することなく外部へ放出される。レンズ２に入射した第１ＬＥＤユニット３１の光の内、残りの光は光放出面の第２領域２３から外部へ放出される。第２領域２３は光拡散面であるので、放出光は積極的に拡散して外部へ放出される。一方、第２ＬＥＤユニット３２の光は光入射面２４に入射する。光入射面２４には光拡散処理が施されているため、第２ＬＥＤユニット３２の光は拡散してレンズ２内を進行することとなる。レンズ２内を拡散進行した光は光放出面の第１領域２２及び第２領域２３から放出される。
このように、第１ＬＥＤユニット３１及び第１ＬＥＤユニット３２の光はレンズ２により第１領域２２から放出される光と第２領域２３から放出される光とに分けられる。第１領域２２は平滑面からなる領域であるので、第１領域２２から放出される光は積極的に拡散することなく進行し、比較的遠方を照明する光となる。一方、第２領域２３は光拡散面からなる領域であるので、第２領域２３から放出された光は積極的に拡散して放出され、レンズ２を柔らかく発光させる光となる。さらに、第１ＬＥＤユニット３１は白色ＬＥＤを内蔵しており、輝度の高い白色光を放出することができる。一方、第２ＬＥＤユニット３２はフルカラーＬＥＤを内蔵しており、その放出光の色を任意に変化させることができる。従って、第１ＬＥＤユニット３１による輝度の高い白色光による比較的遠方の照明と、第２ＬＥＤユニット３２による放出光の色の変化とを組み合わせたイルミネーションにより、高い演出効果が奏される。
【産業上の利用可能性】
【００１８】
本発明は照明装置に関する。本発明はイベント用車両のヘッドライトとして好適に使用される。
【図面の簡単な説明】
【００１９】
【図１】図１は本発明の一の実施例である照明装置１の斜視図である。
【図２】図２Ａは図１におけるＡ−Ａ断面図である。図２Ｂは図１におけるＢ−Ｂ断面図である。図２Ｃは図１におけるＣ−Ｃ断面図である。
【符号の説明】
【００２０】
１  照明装置
２  レンズ
２１  ２４  光入射面
２２  第１領域
２３  第２領域
３１  第１ＬＥＤユニット
３２  第２ＬＥＤユニット
【図１】
2006147332.tif 000003
【図２】
2006147332.tif 000004